(57)【要約】      （修正有）【課題】支柱とその保持機構を支えるための底部や基台、もしくは地面への固定手段を必要とすることなく、１５ｃｍを超えるようなティーアップ高さを得ることができ、ゴルフスイングにおける正しいローテーションを容易に習得することができるゴルフ練習具を提供する。【解決手段】ゴルフ練習具は、支持部１と、支持部１の下部に設けられ下方に凸面形状をなす設置面部４と、支持部１の上部に設けられ上方に立設したボール載置部１２と、設置面部４の中心部に配置した錘９とを有し、中空の支持部１に空気を注入して膨らませることにより起き上がりこぼしを構成する。【選択図】図１
0003232828.tif 000002
【実用新案登録請求の範囲】
【請求項１】
支持部と、前記支持部の上部に設けられたボール載置部とからなるゴルフ練習具において、前記支持部の下部に設けられ下方に凸面形状をなす設置面部と、前記設置面部の近傍に設けられた錘とを有し、転倒状態から立設状態に自動的に復帰するゴルフ練習具。
【請求項２】
前記支持部は、中空体である請求項１に記載のゴルフ練習具。
【請求項３】
前記支持部は、可撓性を有し空気を注入及び排出して成る請求項２に記載のゴルフ練習具。
【請求項４】
前記設置面部の中心部に前記錘を設けた請求項１から請求項３のいずれか１項に記載のゴルフ練習具。
【請求項５】
前記ボール載置部は、前記支持部の上部から上方に立設した請求項１から請求項４のいずれか１項に記載のゴルフ練習具。
【請求項６】
前記支持部の上部に取付部を設け、前記ボール載置部を前記取付部に着脱自在に取り付ける請求項１から請求項５のいずれか１項に記載のゴルフ練習具。
【請求項７】
前記錘の上部に立設した支柱を設け、前記ボール載置部を前記支柱の上部に着脱自在に取り付ける請求項１から請求項６のいずれか１項に記載のゴルフ練習具。
【請求項８】
前記支持部を地面もしくは重量物に連結する安全紐を設ける請求項１から請求項７のいずれか１項に記載のゴルフ練習具。
【考案の詳細な説明】
【技術分野】
【０００１】  本発明は、ゴルフボールを通常のティー高さより高い位置に保持するゴルフ練習具に関する。
【背景技術】
【０００２】  ゴルフスイングにおける正しいローテーションを身につけるための練習方法として、空中にあるボールを打つ練習方法がある。地面から略１５ｃｍ以上の高さにゴルフボールを配置し、当該ゴルフボールを打つことにより、クラブフェースを正しくターンさせる動きを練習することができる。【０００３】  特許文献１には、膝から腰の高さと思われる位置に保持したゴルフボールを打つためのゴルフ用練習具が示されている。当該ゴルフ用練習具を使用することにより、空中にあるボールを打つ練習を行うことができる。【０００４】  特許文献２には、略腰高さにあるボールを打つことができる打撃補助器具に関する技術が示されている。この技術により、ボールを保持していた支柱を打撃後の傾斜状態から打撃前の状態に復元することができる。
【先行技術文献】
【特許文献】
【０００５】
【特許文献１】意匠登録第１２８８８７７号公報
【特許文献２】特開２０１９−１２２７２０号公報
【考案の概要】
【考案が解決しようとする課題】
【０００６】  従来のゴルフティーは、長いものでもティーアップ高さが７ｃｍ程度である。１５ｃｍを超えるようなティーアップ高さを得るためには、支柱を保持する機構が必要となり、特許文献１に示されているような転倒防止を図るための底部が必要となる。【０００７】  特許文献２には、支柱を打撃後の傾斜状態から打撃前の状態に復元することができる技術が開示されているが、この技術においても当該復元を行う機構を載せるための基台が必要となる。【０００８】  １５ｃｍを超えるようなティーアップ高さを得るためには、支柱を保持する機構とそれを支えるための底部や基台、もしくは地面への固定手段が必要となり、練習場への持ち運び等が困難となるといった課題を有していた。
【課題を解決するための手段】
【０００９】  本考案は、支持部と、支持部の上部に設けられたボール載置部とからなるゴルフ練習具において、支持部の下部に設けられ下方に凸面形状をなす設置面部と、設置面部の近傍に設けられた錘とを有し、転倒状態から立設状態に自動的に復帰するものである。【００１０】  また、本考案は、支持部は、中空体であるものである。【００１１】  また、本考案は、支持部は、可撓性を有し空気を注入及び排出して成るものである。【００１２】  また、本考案は、設置面部の中心部に錘を設けたものである。【００１３】  また、本考案は、ボール載置部は、支持部の上部から上方に立設したものである。【００１４】  また、本考案は、支持部の上部に取付部を設け、ボール載置部を取付部に着脱自在に取り付けるものである。【００１５】  また、本考案は、錘の上部に立設した支柱を設け、ボール載置部を支柱の上部に着脱自在に取り付けるものである。【００１６】  また、本考案は、支持部を地面もしくは重量物に連結する安全紐を設けるものである。
【考案の効果】
【００１７】  本考案は、底部や基台、もしくは地面への固定手段を設けることなく、１５ｃｍ以上の高さにゴルフボールを配置し、打撃により転倒した状態にあるボール載置部を打撃前の状態に自動的に復元することができる。【００１８】  本考案のゴルフ練習具は、１５ｃｍを超えるようなティーアップ高さを得るための支柱保持機構を練習場等へ容易に持ち運ぶことができるものである。
【図面の簡単な説明】
【００１９】
【図１】本考案の実施例１に係るゴルフ練習具の一部断面側面図である。
【図２】本考案の実施例１に係るゴルフ練習具の使用状態を示す模式図である。
【図３】本考案の実施例１に係るゴルフ練習具の転倒状態から立設状態に自動的に復帰する動きを示す模式図である。
【図４】本考案の実施例１に係るゴルフ練習具の収納状態を示す一部断面側面図である。
【考案を実施するための形態】
【００２０】  本考案のゴルフ練習具に係る最良の実施態様を以下に説明する。
【実施例１】
【００２１】  図１は、本考案の実施例１に係るゴルフ練習具の一部断面側面図である。塩化ビニールを主原料とする合成シートを熱溶着し、可撓性を有する中空体に成形して支持部１を構成している。【００２２】  支持部１は、上部に円錐部２を有し、その下に胴体を構成する円柱部３があり、底面には下方に凸面形状をなす設置面部４が設けられている。また、支持部１の外周部には空気を注入及び排出するための吹込み口５と、安全紐６を取り付けるための連結部が構成されている。安全紐６の端部には地中に埋設した釘７が連結されており、誤って支持部１を打撃したような場合でもゴルフ練習具全体が飛ばされることを防止している。【００２３】  支持部１の内部に設けられた支柱８は、設置面部４の中心部に設けられた錘９に固定され、支持部１の内部に立設されている。支柱８は支持部１の円錐部２を貫通するとともに、シールリング１０により円錐部２の端部を支柱８に密着固定している。これにより、支持部１は気密性を有し、吹込み口５から空気を注入することにより膨らませることができる。【００２４】  支柱８の上部には取付部１１が構成されており、弾性を有するゴム材料から成るボール載置部１２が着脱自在に取付られている。着脱自在であるため、ボール載置部１２が劣化した場合、新しいものと交換することができる。ボール載置部１２の上端にゴルフボール１３を載置することができ、地面から１５ｃｍ以上の高さにゴルフボールを配置したスイング練習を行うことができるものである。【００２５】  図２は、本考案の実施例１に係るゴルフ練習具の使用状態を示す模式図である。使用者１４は、ゴルフ練習具に載置したゴルフボール１３をゴルフクラブ１５で打つ練習を行う。【００２６】  スイングを行うことによりゴルフ練習具は転倒するが、支持部１の下部に設けられ下方に凸面形状をなす設置面部４の中心部に錘９が配置されているため、起き上がりこぼしのようにゴルフ練習具は転倒状態から立設状態に自動的に復帰する。これによりボール載置部１２を立て直す手間が省ける。【００２７】  図３は、本考案の実施例１に係るゴルフ練習具の転倒状態から立設状態に自動的に復帰する動きを示す模式図である。ゴルフ練習具の重心位置が凸面形状をなす設置面部４の中心部近傍にあるため、起き上がる方向のモーメントが作用し、ゴルフ練習具は自動的に立設状態に復帰する。【００２８】  図４は、本考案の実施例１に係るゴルフ練習具の収納状態を示す一部断面側面図であり、１６はゴルフバッグである。本考案の実施例１に係るゴルフ練習具ゴルフ練習具は、その空気を抜くことにより、図４に示すように容易に収納して持ち運ぶことができる。【００２９】  以上説明したように、本考案の実施例１に係るゴルフ練習具は、１５ｃｍ以上の高さにゴルフボールを保持してスイング練習ができ、スイングにより転倒した状態にあるボール載置部を打撃前の状態に自動的に復元することができ、練習具全体を練習場等へ容易に持ち運ぶことができるものである。【００３０】  また、本考案の実施例１に係るゴルフ練習具は、ボール載置部１２を着脱自在としたため、ボール載置部１２の長さを変えることにより、ボールの設置高さを容易に可変することができるものである���【００３１】  実施例１に係るゴルフ練習具では、支持部１とボール載置部１２が分離した構成であったが、両者を一体に構成したものにおいても同様の基本的な効果を奏するものである。【００３２】  また、実施例１に係るゴルフ練習具では、錘９から支持部１を貫通して支柱８を設けた構成であるが、前記支柱８を設けず、支持部１の上にボール載置部１２を設けた構成でも同様の効果を奏するものである。【００３３】  また、実施例１に係るゴルフ練習具では、支持部１の形状を円錐部２の下に円柱部３を設けた形状としたが、設置面部４のすぐ上に円錐部２を構成した形状、又は、ボーリングピンのような曲面形状においても同様の効果を奏するものである。
【符号の説明】
【００３４】  １  支持部
２  円錐部
３  円柱部
４  設置面部
５  吹込み口
６  安全紐
７  釘
８  支柱
９  錘
１０  シールリング
１１  取付部
１２  ボール載置部
１３  ゴルフボール
１４  使用者
１５  ゴルフクラブ
１６  ゴルフバッグ
【図１】
0003232828.tif 000003
【図２】
0003232828.tif 000004
【図３】
0003232828.tif 000005
【図４】
0003232828.tif 000006